(57)【要約】      （修正有）【課題】使用場所の空間の大きさに応じて各種形状の風エネルギー採集装置を設計し、複数組の小型風力発電機を縦横に接続して使用することができ、特定の地点に制限されにくい、小型集量式風力発電機モジュールを提供することにある。【解決手段】小型集量式風力発電モジュールは、１つの小型風力発電機１０を核心ユニットとし、複数の小型風力発電機を組み合わせて小型風力発電ユニット２０とし、この小型風力発電ユニットを配列してさまざまな形式に組み立てて成る小型風力発電モジュール３０であって、日常生活において適用したり、車両の前部やルーフ上に設置したりして、風力を電気エネルギーに転換し、省エネに役立てることができる。【選択図】図３
0003133106.tif 000002
【実用新案登録請求の範囲】
【請求項１】
単一の小型風力発電機を核心ユニットとし、１つ以上の小型風力発電機から構成される小型風力発電ユニットを配列してさまざまな形式に組み立てて成り、日常生活において風力を電気エネルギーに転換する設備として適用される、小型集量式風力発電モジュール。
【請求項２】
前記小型風力発電モジュールの底部に回転盤を設置し、上部に方向舵を設け、回転式の小型風力発電モジュールとした、請求項１に記載の小型集量式風力発電モジュール。
【請求項３】
前記小型風力発電モジュールを車両のルーフ上に設置し、乱流板とすることができると共に、風力発電機能を兼ね備えることができる、請求項１に記載の小型集量式風力発電モジュール。
【請求項４】
前記小型風力発電モジュールを車両のルーフ上に設置し、走行中の車両が発生する風速により補助電力エネルギーに転換する、請求項１に記載の小型集量式風力発電モジュール。
【考案の詳細な説明】
【技術分野】
【０００１】
本考案は小型集量式風力発電機モジュールに関し、詳細には、風力の風エネルギーを取得する装置であって、小型風力発電ユニットを核心とし、複数のユニットを組み込んで１つの小型風力発電機モジュールとすることにより、受風面積を拡大し、日常生活におけるさまざまな風力発電場所に広く運用することができる、小型集量式風力発電機モジュールに関する。
【背景技術】
【０００２】
世界人類がエネルギー節約を大きく掲げる前提のもと、近年大型の風力発電機が迅速な発展を遂げ、人々にも広く受け入れられるようになった。しかしながら、大型の風力発電機は使用する面積が大きく、場所を見つけることが困難である。多くが海辺や海上、沼地等の広い場所に設置されているが、これはそうしなければ風エネルギーを取得するに十分な風力を採集することができないためである。このため、大型風力発電機のメンテナンスは困難であり、周辺の環境生態も破壊されやすく、渡り鳥の生息地に干渉をきたすため、環境保護関係者に注視される問題となっている。
【０００３】
本考案の考案者はこの問題に鑑みて、関連産業における長年の経験に基づき研究を重ね、新型の小型集量式風力発電機モジュールの開発に至り、従来品の欠点を排除し、その効果を増進するものである。
【考案の開示】
【考案が解決しようとする課題】
【０００４】
本考案の主な目的は、小型風力発電ユニットを核心とし、複数のユニットを組み立てて１つの小型風力発電機モジュールとし、このモジュールを実際の必要に応じて縦配列式や横配列式、傾斜式等、さまざまな形状に組み立て、日常生活において風力を電気エネルギーに転換するのに適用可能な、小型集量式風力発電機モジュールを提供することにある。
【０００５】
本考案の別の目的は、使用者の使用場所の空間の大きさに応じて各種形状の風エネルギー採集装置を設計し、複数組の小型風力発電機を縦横に接続して使用することができ、風の場の地点に合わせたり、能動的に風の場に接近させたりすることができるため、風エネルギーと受風面積は正比例を成す原理により、特定の地点に制限されにくい、小型集量式風力発電機モジュールを提供することにある。
【課題を解決するための手段】
【０００６】
本考案の小型集量式風力発電機モジュールは、単一の小型風力発電機を核心ユニットとし、１つ以上の小型風力発電機から構成される小型風力発電ユニットを配列してさまざまな形式に組み立てて成り、日常生活において適用したり、車両の前部やルーフ上に設置したりして、風力を電気エネルギーに転換し、省エネに役立てることができる。
【考案を実施するための最良の形態】
【０００７】
本考案について審査員各位に更なる理解を促すため、以下、図面に基づき詳細に説明する。
【０００８】
図１に本考案の小型風力発電機１０を示す。その後端部の部材は太陽エネルギー光電板の電子制御モジュールにすることができ、風力を電気エネルギーに転換する基本原理を達することができる。その運用技術は従来技術であるため、ここでは説明を省略する。
【０００９】
図２に本考案の小型風力発電機１０を組み立てて成る小型風力発電ユニット２０を示す。図３に複数組の小型風力発電ユニット２０を重ね行列を成して積木式の小型風力発電モジュール３０を示す。図４に示すように、複数組の小型風力発電ユニット２０は重ねて回転式の小型風力発電モジュール４０とすることもでき、そのうち、このモジュールは底部に回転盤４１が設けられ、上端部に方向舵４２が設置されて３６０度任意に（または電気制御式で）回転させることができると共に、方向舵４２によりモジュールの方向を調整することができる。図５に示すように、複数の小型風力発電機１０を傾斜した筒体内に設置し、組み合わせて管配列式小型風力発電モジュール５０とすることもでき、一般的な（コンテナ）トラックの前部やその他適切な位置に設置して乱流板とすると同時に風力発電機としての用途を持たせることができる。
【００１０】
図６に示すように、複数の小型風力発電機１０を組み合わせて不規則な形式の小型風力発電モジュール６０とし、この家のような形をしたモジュールは一般家庭のベランダ上に置くことができ、その底部には回転盤６１が、そして上端部には方向舵６２が設置される。図７に示すように、複数の小型風力発電機１０を組み立てて、車両ルーフ用小型風力発電モジュール７０としてもよく、このモジュールを車両の上部に設置し、車両走行時に発生する風速作動力を利用して、風エネルギーを補助電力エネルギーに転換し、車両で使用することができる。
【００１１】
上述のように、本考案の小型風力発電モジュールは、小型風力発電ユニットを核心とし、さまざまな小型風力発電モジュールとして組み立てて、日常生活において風力を電気エネルギーの大衆的、普及性の高い風力発電機設備に転換するものであり、その実用性は疑いの余地がなく、また本考案はこれまで公開されたりその他刊行物に発表されたりしたことはなく、特許法の規定を満たしているため、法に基づきここに実用新案登録を出願するものである。
【図面の簡単な説明】
【００１２】
【図１】本考案の小型風力発電機の平面図である。
【図２】本考案の小型風力発電ユニットの立体図である。
【図３】本考案の積木式小型風力発電モジュールの立体図である。
【図４】本考案の回転式小型風力発電モジュールの立体図である。
【図５】本考案の管配列式小型風力発電モジュールの立体図である。
【図６】本考案の不規則式小型風力発電モジュールの立体図である。
【図７】本考案の車両ルーフ用小型風力発電モジュールの側面図である。
【符号の説明】
【００１３】
１０  小型風力発電機
２０  小型風力発電ユニット
３０  積木式小型風力発電モジュール
４０  回転式小型風力発電モジュール
４１  回転盤
４２  方向舵
５０  管配列式小型風力発電モジュール
５１  支持体
６０  不規則式小型風力発電モジュール
６１  回転盤
６２  方向舵
７０  車両ルーフ用小型風力発電モジュール
【図１】
0003133106.tif 000003
【図２】
0003133106.tif 000004
【図３】
0003133106.tif 000005
【図４】
0003133106.tif 000006
【図５】
0003133106.tif 000007
【図６】
0003133106.tif 000008
【図７】
0003133106.tif 000009
【手続補正書】
【提出日】平成19年4月16日(2007.4.16)
【手続補正１】
【補正対象書類名】実用新案登録請求の範囲
【補正対象項目名】請求項１
【補正方法】変更
【補正の内容】
【請求項１】
それぞれが１つ以上の小型風力発電機を有する、複数の小型風力発電ユニットを備えた小型集量式風力発電モジュール。